(57)【要約】【課題】健康保険証など、個人の資格保証となる会員証を使ってサービス提供を受けるときに、個人の情報を外部に漏洩させることなく迅速に認定する。【解決手段】会員証発行機関１側に検証機構１Ａを設け、サービス提供者２側に会員証承認機構２Ａを設け、会員証発行機関とサービス提供者間で行われる通信の暗号・相手保証を提供する保証機構４を設け、サービス提供者からの会員情報で保証機構が会員発行機関情報を返信し、これら情報を会員発行機関に送信し、会員発行機関で照合して保証機構に送信し、保証機構が会員証承認機構に送信する。会員証情報が変更された場合の自動更新も含む。【選択図】　図１
2004062718.tif 000002
【特許請求の範囲】
【請求項１】
個人の資格保証となる会員証の有効・無効の検証を電子的承認手段によって行う会員承認システムであって、
会員証発行機関側に検証機構を設け、会員証の提示によりサービスを提供するサービス提供者側に会員証承認機構を設け、前記会員証発行機関とサービス提供者間で行われる通信の暗号・相手保証を提供する保証機構を設け、前記各機構は、それらの間で広域ネットワークを通した以下の検証処理手段、
前記サービス提供者は、会員から提示された会員情報を前記会員証承認機構に入力し、この会員証承認機構により該会員情報について会員マスタにより照合できた場合は有効を提示し、照合が出来なかった場合には会員情報を前記保証機構に送信する手段と、
前記保証機構は、前記サービス提供者から受信した会員証情報に該当する前記会員証発行機関のアドレスを前記会員証承認機構に返信する手段と、
前記会員証承認機構は、前記会員証発行機関のアドレスと自身の識別名を前記検証機構に送信する手段と、
前記検証機構は、受信した会員情報で会員マスタの情報と照合し、照合結果をサービス提供者の識別名を前記保証機構に送信する手段と、
前記保証機構は、受信した識別名に該当するサービス提供者のアドレスを会員証発行機関に返信する手段と、
前記検証機構は、受信した照合結果を前記会員承認機構に返信する手段と、
前記会員承認機構は、受信した検証結果を提示する手段と、
を備えたことを特徴とする会員認証システム。
【請求項２】
前記各機構は、会員情報の内容に変更が発生した場合、以下の自動更新手段、
前記検証機構は、前記保証機構に対し通知先の識別名を保証機構に送信する手段と、
前記保証機構は、受信した通知先の識別名に該当するアドレスを前記検証機構に返信する手段と、
前記検証機構は、受信した各通知先アドレスの会員証承認機構に変更通知を送信する手段と、
前記通知先となる会員証承認機構は、自身の承認マスタより変更通知を送信した会員証発行機関の会員情報リストを作成する手段と、
前記会員証承認機構は、前記保証機構に会員証発行機関の識別名と自身の識別名を前記保証機構に送信する手段と、
前記保証機構は、受信した識別名を会員証発行機関の識別名に該当するアドレスを処理を実行した会員証承認機構へ返信する手段と、
前記会員証承認機構は、受信した会員情報を前記検証機構に送信する手段と、前記検証機構は、受信した会員情報の並び順で変更の有無リストを作成する手段と、
前記検証機構は、前記保証機構に処理要求してきたサービス提供者の識別名を前記保証機構に送信する手段と、
前記保証機構は、受信したサービス提供者の識別名に該当するアドレスを前記検証機構に返信する手段と、
前記検証機構は、受信した変更の有無リストを前記会員証承認機構に返信する手段と、
前記会員証承認機構は、受信した更新の発生した会員情報を自身の承認マスタより削除する手段と、
を備えたことを特徴とする請求項１に記載の会員認証システム。
【請求項３】
前記各機構は、他の機構に送信する情報には送信先機関の公開鍵で暗号化して送信することを特徴とする請求項１または２に記載の会員認証システム。
【請求項４】
前記会員証発行機関を健康保険組合とし、サービス提供者側を診療機関とし、前記会員情報は保険証に記載された情報および本人の提示情報とし、前記各手段により被保険者の前記検証処理および保険証の前記自動更新処理を行うことを特徴とする請求項１〜３のいずれか１項に記載の会員認証システム。
【請求項５】
前記健康保健組合は、保険者の医療情報を管理しており、診療時に被保険者の医療情報を診療機関の医療情報システムに提供し、
前記診療機関は、診療終了時に前記医療情報システムで作成・変更された被保険者の医療情報を前記健康保険組合へ送信して保存させることを特徴とする請求項４に記載の会員認証システム。
【請求項６】
個人の資格保証となる会員証の有効・無効の検証を電子的承認手段によって行う会員承認方法であって、
会員証発行機関側に検証機構を設け、会員証の提示によりサービスを提供するサービス提供者側に会員証承認機構を設け、前記会員証発行機関とサービス提供者間で行われる通信の暗号・相手保証を提供する保証機構を設け、前記各機構は、それらの間で広域ネットワークを通した以下の検証処理過程、
前記サービス提供者は、会員から提示された会員情報を前記会員証承認機構に入力し、この会員証承認機構により該会員情報について会員マスタにより照合できた場合は有効を提示し、照合が出来なかった場合には会員情報を前記保証機構に送信する過程と、
前記保証機構は、前記サービス提供者から受信した会員証情報に該当する前記会員証発行機関のアドレスを前記会員証承認機構に返信する過程と、
前記会員証承認機構は、前記会員証発行機関のアドレスと自身の識別名を前記検証機構に送信する過程と、
前記検証機構は、受信した会員情報で会員マスタの情報と照合し、照合結果をサービス提供者の識別名を保証機構に送信する過程と、
前記保証機構は、受信した識別名に該当するサービス提供者のアドレスを会員証発行機関に返信する過程と、
前記検証機構は、受信した照合結果を前記会員承認機構に返信する過程と、
前記会員承認機構は、受信した検証結果を提示する過程と、
を備えたことを特徴とする会員認証方法。
【請求項７】
前記各機構は、会員情報の内容に変更が発生した場合、以下の自動更新過程、
前記検証機構は、前記保証機構に対し通知先の識別名を保証機構に送信する過程と、
前記保証機構は、受信した通知先の識別名に該当するアドレスを前記検証機構に返信する過程と、
前記検証機構は、受信した各通知先アドレスの会員証承認機構に変更通知を送信する過程と、
前記通知先となる会員証承認機構は、自身の承認マスタより変更通知を送信した会員証発行機関の会員情報リストを作成する過程と、
前記会員証承認機構は、前記保証機構に会員証発行機関の識別名と自身の識別名を前記保証機構に送信する過程と、
前記保証機構は、受信した識別名を会員証発行機関の識別名に該当するアドレスを処理を実行した会員証承認機構へ返信する過程と、
前記会員証承認機構は、受信した会員情報を前記検証機構に送信する過程と、
前記検証機構は、受信した会員情報の並び順で変更の有無リストを作成する過程と、
前記検証機構は、前記保証機構に処理要求してきたサービス提供者の識別名を前記保証機構に送信する過程と、
前記保証機構は、受信したサービス提供者の識別名に該当するアドレスを前記検証機構に返信する過程と、
前記検証機構は、受信した変更の有無リストを前記会員証承認機構に返信する過程と、
前記会員証承認機構は、受信した更新の発生した会員情報を自身の承認マスタより削除する過程と、
を備えたことを特徴とする請求項６に記載の会員認証方法。
【請求項８】
前記各機構は、他の機構に送信する情報には送信先機関の公開鍵で暗号化して送信することを特徴とする請求項６または７に記載の会員認証方法。
【請求項９】
前記会員証発行機関を健康保険組合とし、サービス提供者側を診療機関とし、前記会員情報は保険証に記載された情報および本人の提示情報とし、前記各過程により被保険者の前記検証処理および保険証の前記自動更新処理を行うことを特徴とする請求項６〜８のいずれか１項に記載の会員認証方法。
【請求項１０】
前記健康保健組合は、保険者の医療情報を管理しており、診療時に被保険者の医療情報を診療機関の医療情報システムに提供し、
前記診療機関は、診療終了時に前記医療情報システムで作成・変更された被保険者の医療情報を前記健康保険組合へ送信して保存させることを特徴とする請求項９に記載の会員承認方法。
【発明の詳細な説明】
【０００１】
【発明の属する技術分野】
本発明は、会員証の情報を外部に漏洩させることなく会員本人を迅速に承認するための会員承認システムに関する。
【０００２】
【従来の技術】
この種の承認手法としては、インターネットを利用した情報提供・取得や、会員間の電子メールサービスに際して、サービス提供者側で登録しておいたＩＤや暗証番号の確認を行う電子的承認手段がある。
【０００３】
【発明が解決しようとする課題】
個人の資格保証となる会員証のうち、電子的承認手段の未だ提供されていない会員証（例えば学生証、社員証、運転免許証、健康保険証など）の提示によりその資格に則したサービスの提供（学生割引、診療行為や本人確認など）を受ける場合、現状では、サービス提供側は実質的検証を行わない（行えない）。
また、診療行為などの場合は、健康保険組合への支払請求時に健康保険組合より有効・無効の判断を診療行為を施した医療施設に下され、無効の場合の対処はその医療施設の責務となる。
しかし、これらのサービス提供施設の多くは、会員証の発行機関との明瞭なる関係を有していない為、個人情報保護の観点から会員証発行機関から登録されている個人情報を提供することは実質出来ない。
本発明の目的は、会員証発行機関から個人情報が一切漏れることなく、会員証発行機関と明瞭なる信頼関係の成立していないサービス提供者に対し、提示された会員証の有効・無効を効率的に遠隔承認する会員承認システムおよび会員承認方法を提供することにある。
【０００４】
【課題を解決するための手段】
前記の課題を解決するための本発明は、以下の会員承認システムおよび会員承認方法を特徴とする。
【０００５】
（システムの発明）
（１）個人の資格保証となる会員証の有効・無効の検証を電子的承認手段によって行う会員承認システムであって、
会員証発行機関側に検証機構を設け、会員証の提示によりサービスを提供するサービス提供者側に会員証承認機構を設け、前記会員証発行機関とサービス提供者間で行われる通信の暗号・相手保証を提供する保証機構を設け、前記各機構は、それらの間で広域ネットワークを通した以下の検証処理手段、
前記サービス提供者は、会員から提示された会員情報を前記会員証承認機構に入力し、この会員証承認機構により該会員情報について会員マスタにより照合できた場合は有効を提示し、照合が出来なかった場合には会員情報を前記保証機構に送信する手段と、
前記保証機構は、前記サービス提供者から受信した会員証情報に該当する前記会員証発行機関のアドレスを前記会員証承認機構に返信する手段と、
前記会員証承認機構は、前記会員証発行機関のアドレスと自身の識別名を前記検証機構に送信する手段と、
前記検証機構は、受信した会員情報で会員マスタの情報と照合し、照合結果をサービス提供者の識別名を前記保証機構に送信する手段と、
前記保証機構は、受信した識別名に該当するサービス提供者のアドレスを会員証発行機関に返信する手段と、
前記検証機構は、受信した照合結果を前記会員承認機構に返信する手段と、
前記会員承認機構は、受信した検証結果を提示する手段と、
を備えたことを特徴とする。
【０００６】
（２）前記各機構は、会員情報の内容に変更が発生した場合、以下の自動更新手段、
前記検証機構は、前記保証機構に対し通知先の識別名を保証機構に送信する手段と、
前記保証機構は、受信した通知先の識別名に該当するアドレスを前記検証機構に返信する手段と、
前記検証機構は、受信した各通知先アドレスの会員証承認機構に変更通知を送信する手段と、
前記通知先となる会員証承認機構は、自身の承認マスタより変更通知を送信した会員証発行機関の会員情報リストを作成する手段と、
前記会員証承認機構は、前記保証機構に会員証発行機関の識別名と自身の識別名を前記保証機構に送信する手段と、
前記保証機構は、受信した識別名を会員証発行機関の識別名に該当するアドレスを処理を実行した会員証承認機構へ返信する手段と、
前記会員証承認機構は、受信した会員情報を前記検証機構に送信する手段と、
前記検証機構は、受信した会員情報の並び順で変更の有無リストを作成する手段と、
前記検証機構は、前記保証機構に処理要求してきたサービス提供者の識別名を前記保証機構に送信する手段と、
前記保証機構は、受信したサービス提供者の識別名に該当するアドレスを前記検証機構に返信する手段と、
前記検証機構は、受信した変更の有無リストを前記会員証承認機構に返信する手段と、
前記会員証承認機構は、受信した更新の発生した会員情報を自身の承認マスタより削除する手段と、
を備えたことを特徴とする。
【０００７】
（３）前記各機構は、他の機構に送信する情報には送信先機関の公開鍵で暗号化して送信することを特徴とする。
【０００８】
（４）前記会員証発行機関を健康保険組合とし、サービス提供者側を診療機関とし、前記会員情報は保険証に記載された情報および本人の提示情報とし、前記各手段により被保険者の前記検証処理および保険証の前記自動更新処理を行うことを特徴とする。
【０００９】
（５）前記健康保健組合は、保険者の医療情報を管理しており、診療時に被保険者の医療情報を診療機関の医療情報システムに提供し、
前記診療機関は、診療終了時に前記医療情報システムで作成・変更された被保険者の医療情報を前記健康保険組合へ送信して保存させることを特徴とする。
【００１０】
（方法の発明）
（６）個人の資格保証となる会員証の有効・無効の検証を電子的承認手段によって行う会員承認方法であって、
会員証発行機関側に検証機構を設け、会員証の提示によりサービスを提供するサービス提供者側に会員証承認機構を設け、前記会員証発行機関とサービス提供者間で行われる通信の暗号・相手保証を提供する保証機構を設け、前記各機構は、それらの間で広域ネットワークを通した以下の検証処理過程、
前記サービス提供者は、会員から提示された会員情報を前記会員証承認機構に入力し、この会員証承認機構により該会員情報について会員マスタにより照合できた場合は有効を提示し、照合が出来なかった場合には会員情報を前記保証機構に送信する過程と、
前記保証機構は、前記サービス提供者から受信した会員証情報に該当する前記会員証発行機関のアドレスを前記会員証承認機構に返信する過程と、
前記会員証承認機構は、前記会員証発行機関のアドレスと自身の識別名を前記検証機構に送信する過程と、
前記検証機構は、受信した会員情報で会員マスタの情報と照合し、照合結果をサービス提供者の識別名を保証機構に送信する過程と、
前記保証機構は、受信した識別名に該当するサービス提供者のアドレスを会員証発行機関に返信する過程と、
前記検証機構は、受信した照合結果を前記会員承認機構に返信する過程と、
前記会員承認機構は、受信した検証結果を提示する過程と、
を備えたことを特徴とする。
【００１１】
（７）前記各機構は、会員情報の内容に変更が発生した場合、以下の自動更新過程、
前記検証機構は、前記保証機構に対し通知先の識別名を保証機構に送信する過程と、
前記保証機構は、受信した通知先の識別名に該当するアドレスを前記検証機構に返信する過程と、
前記検証機構は、受信した各通知先アドレスの会員証承認機構に変更通知を送信する過程と、
前記通知先となる会員証承認機構は、自身の承認マスタより変更通知を送信した会員証発行機関の会員情報リストを作成する過程と、
前記会員証承認機構は、前記保証機構に会員証発行機関の識別名と自身の識別名を前記保証機構に送信する過程と、
前記保証機構は、受信した識別名を会員証発行機関の識別名に該当するアドレスを処理を実行した会員証承認機構へ返信する過程と、
前記会員証承認機構は、受信した会員情報を前記検証機構に送信する過程と、
前記検証機構は、受信した会員情報の並び順で変更の有無リストを作成する過程と、
前記検証機構は、前記保証機構に処理要求してきたサービス提供者の識別名を前記保証機構に送信する過程と、
前記保証機構は、受信したサービス提供者の識別名に該当するアドレスを前記検証機構に返信する過程と、
前記検証機構は、受信した変更の有無リストを前記会員証承認機構に返信する過程と、
前記会員証承認機構は、受信した更新の発生した会員情報を自身の承認マスタより削除する過程と、
を備えたことを特徴とする。
【００１２】
（８）前記各機構は、他の機構に送信する情報には送信先機関の公開鍵で暗号化して送信することを特徴とする。
【００１３】
（９）前記会員証発行機関を健康保険組合とし、サービス提供者側を診療機関とし、前記会員情報は保険証に記載された情報および本人の提示情報とし、前記各過程により被保険者の前記検証処理および保険証の前記自動更新処理を行うことを特徴とする。
【００１４】
（１０）前記健康保健組合は、保険者の医療情報を管理しており、診療時に被保険者の医療情報を診療機関の医療情報システムに提供し、
前記診療機関は、診療終了時に前記医療情報システムで作成・変更された被保険者の医療情報を前記健康保険組合へ送信して保存させることを特徴とする。
【００１５】
【発明の実施の形態】
図１は、本発明の実施形態を示すシステム構成図である。本システムは、会員証発行機関１側に検証機構１Ａを、会員証の提示によりサービスを提供する側（サービス提供者）２に会員証承認機構２Ａを用意し、広域ネットワーク（例えばインターネットやＶＰＮ（仮想専用ネットワーク）など）３を介してそれらを通信接続可能にする。さらに、ネットワーク３を介して相手先の提供と両者で行われる通信の暗号・相手保証を提供する保証機構４を用意する。
【００１６】
以下、各機構がコンピュータ処理手段および情報通信手段として搭載する各種機能を詳細に説明する。
（１）検証機構１Ａ
検証機能：会員承認機構２Ａより送信された会員証情報（会員証番号やその他会員証に会員の証しとして記載されている住所など）と、会員証を提示した本人の氏名と、会員証に記載されていない本人自身の情報（会員証発行機関単位に提示：以降、本人確認情報）を用いて会員マスタ１Ｂを検索し、有資格者の場合はその旨（健康保健証のように１つの会員証で複数人の資格保証をする場合はその別や、発行機関の要求により承認した個人に付随する情報も含む）を、無資格者の場合はその旨を会員証承認機構２Ａに返信する。
変更通知機能：会員に関する登録内容に変更が発生した場合、変更が発生した会員証に対し以前検証を求めたサービス提供者２に対し、登録内容の変更が発生した旨の通知を送信する。
更新有無検証機能：サービス提供者２より送信されてくる会員証番号（列）に対し、登録内容の更新の有無を送信されて来た会員証番号（列）に従って返信する。
検証依頼履歴管理機能：サービス提供者２からの検証依頼の履歴を会員証単位に『検証依頼日時』、『検証依頼者（サービス提供者）』、『検証に用いた情報』、『検証結果』等を一定期間（会員証の有効期間等）保存し、会員証の変更通知機能や認証に係わる事故・事件等への対応に用いる。
【００１７】
（２）会員証承認機構２Ａ
会員証承認機能：提示された会員証の発行機関名や会員番号及び会員証に記載されている付随情報（住所など）と、会員証提示者の氏名と、会員証発行機関１で予め提示する本人確認情報を入力し、自身の保持する承認マスタ２Ｂを検索し、有資格者の場合はその旨を提示する。また、資格情報が不明の場合は、発行機関名により確定する発行機関の検証機構１Ａを用いて検証し、その結果を提示すると共に、有資格者であった場合は、承認マスタ２Ｂに追加保存する。
承認マスタ自動更新機能（その１）：会員証発行機関１より更新通知を受けた場合、承認マスタ２Ｂ上の更新通知を発信した発行機関の会員証情報より会員証番号を総て発行機関に送信し、会員証毎に更新の有無を受け取ると共に、更新の発生した承認マスタ上の更新前の会員証情報を無効に設定（又は削除）する。
承認マスタ自動更新機能（その２）：会員証に記載されている有効期限に達した会員証情報を自動的に無効に設定（又は削除）する。
【００１８】
（３）保証機構４
会員証発行機関１とサービス提供者２が明なる関係の下に無い為、両者に関係が発生（＝会員証の検証）した場合に両者に対し真正性を含め相手の通信先を提供すると共に、通信の安全性を確保する。
尚、ここで用いる暗号技術は、今後の電子政府への対応も鑑み第三者の評価を受けた独自番号（公開鍵暗号方式＝ＲＳＡ等の商業化されたものではない）技術を使用する。
会員証発行機関提供機能：会員証発行機関名を受信すると発行機関の公開鍵と通信先（アドレス）を“問合わせ者（サービス提供者）”の公開鍵で暗号化して返信する。
サービス提供者公開鍵提供機能：サービス提供者名を受信するとそのサービス提供者の公開鍵と通信先（アドレス）を“問合せ者（発行機関）”の公開鍵で暗号化して返信する。
以上までのシステム構成とする本実施形態を、個人が健康保険証を使って診療所で診療を受ける場合の検証機能と自動更新機能を以下に説明する。
【００１９】
（検証機能１）
図２は、健康保険証の受付時の検証機能の処理手順を示す。本人情報として氏名、続柄、事業所電話番号等を承認する検証機能処理の流れは、以下のようになる。
（Ｓ１）サービス提供者２になる診療所は、提示された保険証の情報より記号、保険証番号、被保険者の住所、氏名、生年月目、被保険者事業者名、被保険者事業者住所を会員証承認機構２Ａに入力し、さらに本人（患者）の情報から氏名、被保険者との続柄、事業所電話番号を会員証承認機構２Ａに入力する。
（Ｓ２）会員証承認機構２Ａは、入力された内容で自身の持つ承認マスタ２Ｂで照合し、照合できた場合は、有効を提示する。
（Ｓ３）上記の（Ｓ２）で照合出来なかった場合、入力された記号＋保険証番号を保証機構４の公開鍵で暗号化し保証機構４に送信する。
（Ｓ４）保証機構４は、上記の（Ｓ３）の処理で受信した記号＋保険証番号に該当する健康保険組合（会員証発行機関１に相当）のアドレスと公開鍵を診療所の公開鍵で暗号化して診療所の会員証承認機構２Ａに返信する。
（Ｓ５）会員証承認機構２Ａは、上記の（Ｓ４）の処理で健康保険組合のアドレスと公開鍵を受信した（Ｓ１で入力された）内容と自身の識別名を健康保険組合の公開鍵で暗号化し、健康保険組合の検証機構１Ａに送信する。
（Ｓ６）健康保険組合の検証機構１Ａは、上記の（Ｓ５）の処理で受信した被保険者情報（Ｓ１で入力した内容）で会員マスタ１Ｂの情報と照合し、照合結果を以降の手順で診療所の会員承認機構２Ａに返信する。
（Ｓ７）健康保険組合の検証機構１Ａは、上記の（Ｓ６）の処理で得た診療所の識別名を保証機構４にその公開鍵で暗号化して送信する。
（Ｓ８）保証機構４は、上記の（Ｓ７）の処理で受信した識別名に該当する診療所のアドレスとその公開鍵を健康保険組合１の公開鍵で暗号化して返信する。
（Ｓ９）健康保険組合１の検証機構１Ａは、上記の（Ｓ８）の処理で受信した照合結果を診療所２の公開鍵で暗号化し、診療所の会員承認機構２Ａに返信する。
（Ｓ１０）診療所の会員承認機構２Ａは、上記の（Ｓ９）の処理で受信した検証結果を提示すると共に、自身の承認マスタ２Ｂに（Ｓ１）で入力された内容を登録する。
【００２０】
（自動更新機能）
図３は、自動更新機能の処理手順を示す。この更新処理は、健康保険組合１で被保険者の登録内容に変更が発生した場合、検証機構１Ａは変更が発生した被保険者の承認確認を得た診療所（サービス提供者）に対し、以下の手順で更新処理する。
（Ｓ２１）検証機構１Ａは、保証機構４に対し通知先の識別名（複数）を保証機構の公開鍵で暗号化して送信する。
（Ｓ２２）保証機構４は、上記の（Ｓ２１）の処理で受信した通知先の識別名（複数）に該当するアドレスと各通知先の公開鍵を健康保険組合の公開鍵で暗号化して健康保険組合１の検証機構１Ａに返信する。
（Ｓ２３）健康保険組合の検証機構１Ａは、上記の（Ｓ２２）の処理で受信した各通知先アドレスの会員証承認機構２Ａに各通知先の公開鍵で暗号化した変更通知を送信する。
（Ｓ２４）上記の（Ｓ２３）の処理で通知先となる会員証承認機構２Ａは、自身の承認マスタ２Ｂより変更通知を送信した健康保険組合１の被保険者（記号＋保険証番号）リストを作成する。
（Ｓ２５）会員証承認機構２Ａは、保証機構４に健康保険組合１の識別名と自身の識別名を保証機構４の公開鍵で暗号化して送信する。
（Ｓ２６）保証機構４は、上記の（Ｓ２５）の処理で受信した識別名を健康保険組合１の識別名に該当するアドレスと公開鍵を（Ｓ２５）の処理を実行したサービス提供者の公開鍵で暗号化して返信する。
（Ｓ２７）サービス提供者の会員証承認機構２Ａは、上記の（Ｓ２６）の処理で受信した被保険者リスト（Ｓ２４で作成）を健康保険組合１の公開鍵で暗号化して健康保険組合の検証機構１Ａに送信する。
（Ｓ２８）健康保険組合の検証機構１Ａは、上記の（Ｓ２７）の処理で受信した被保険者リストの並び順で“変更”の有無リストを作成する。
（Ｓ２９）健康保険組合の検証機構１Ａは、保証機構４に上記の（Ｓ２７）の処理で送信してきたサービス提供者の識別名を保証機構４の公開鍵で暗号化して送信する。
（Ｓ３０）保証機構４は、上記の（Ｓ２９）の処理で受信したサービス提供者の識別名に該当するアドレスと公開鍵を健康保険組合１の公開鍵で暗号化して返信する。
（Ｓ３１）健康保険組合１の検証機構１Ａは、上記の（Ｓ３０）の処理で受信した（Ｓ２８で作成した）有無リストをサービス提供者２の公開鍵で暗号化して返信する。
（Ｓ３２）サービス提供者の会員証承認機構２Ａは、上記の（Ｓ３１）の処理で受信した更新の発生した被保険者を自身の承認マスタ２Ｂより削除する。
【００２１】
（検証機能２）
図４は、健康保険組合１で被保険者の医療情報を管理しており、診療時に被保険者の医療情報を診療機関に対し提供する場合の検証処理である。
基本的な流れは、検証機能１と同様であるが、承認時に承認出来た場合は、その被保険者の医療情報１Ｃが診療所２に送信され、診療所内の医療情報システム（電子カルテ等）２Ｃで利用される。また、診療終了時に、医療情報システムで作成された（変更も含む）被保険者の医療情報の健康保険組合１への保存が検証機能１と同様の手順により行われる。
【００２２】
【発明の効果】
以上のとおり、本発明によれば、電子的承認手段の未だ提供されていない会員証によりその資格に則したサービスの提供を受ける場合に、サービス提供者に会員証発行機関から登録されている会員情報を外部に漏洩させることなく迅速に提供することができる。
【００２３】
また、会員証内容が変更されたときに会員証発行機関側で自動更新ができる。
また、診療行為などの場合は、保険証の有効・無効の判断を外部に漏洩させることなく迅速に診療機関に提供することができる。
【図面の簡単な説明】
【図１】本発明の実施形態を示すシステム構成図。
【図２】実施形態における健康保険証の受付時の検証処理手順図。
【図３】実施形態における自動更新処理手順図。
【図４】実施形態における医療情報管理図。
【符号の説明】
１…会員証発行機関
１Ａ…検証機構
１Ｂ…会員マスタ
１Ｃ…被保険者医療情報
２…サービス提供者
２Ａ…会員認証機構
２Ｂ…承認マスタ
２Ｃ…医療情報システム
３…広域ネットワーク
４…保証機構
【図１】
2004062718.tif 000003
【図２】
2004062718.tif 000004
【図３】
2004062718.tif 000005
【図４】
2004062718.tif 000006